(57)【要約】  【課題】簡易な構造で、ステップとスカートガードとの間隙に挟まれる危険に対する乗客の意識を高めることのできる乗客コンベア装置の提供。  【解決手段】無端状に走行するステップ３の側方に立設され上端をデッキベース６に固定されたスカートガード７と、このスカートガード７のステップ３の反対側の位置においてその上方に立設された欄干パネルと、この欄干パネルとスカートガード７との間に設けられ、このスカートガード７側がデッキベース６に固定された内側デッキ８と、スカートガード７上端と内側デッキ８下端との接合部に、ステップ３側に突出するように配置されるモール９とを備えた乗客コンベア装置において、モール９に、ステップ３とスカートガード７との間隙Ｇを照射可能な照明部１０を設けたものである。【選択図】  図２
2015113212.tif 000002
【特許請求の範囲】
【請求項１】
無端状に走行するステップの側方に立設され上端をデッキベースに固定されたスカートガードと、前記スカートガードの前記ステップの反対側の位置においてその上方に立設された欄干パネルと、前記欄干パネルと前記スカートガードとの間に設けられ、前記スカートガード側が前記デッキベースに固定された内側デッキと、前記スカートガード上端と前記内側デッキ下端との接合部に、前記ステップ側に突出するように配置されるモールとを備えた乗客コンベア装置において、
前記モールに、前記ステップと前記スカートガードとの間隙を直接照射可能な照明部を設けたことを特徴とする乗客コンベア装置。
【請求項２】
前記照明部は、前記モールに填装される光源体と、前記光源体の下方に配置される導光体とを有することを特徴とする請求項１に記載の乗客コンベア装置。
【請求項３】
前記導光体は、前記ステップ側から前記スカートガード側に向かって先細りとなる傾斜部を備えることを特徴とする請求項２に記載の乗客コンベア装置。
【発明の詳細な説明】
【技術分野】
【０００１】
本発明は、乗客コンベア装置に関する。
【背景技術】
【０００２】
乗客コンベア装置の欄干部に照明装置を設ける背景技術として、特許文献１がある。この公報には、無端乗客輸送バンドと、無端移動手すりと、輸送バンドおよび／または無端移動手すりの速度を求める装置と、輸送バンドに沿って延在するとともに複数の光源を含む照明手段と、光源に接続された照明制御装置と、を備える乗客コンベアであって、照明制御装置は、輸送バンドおよび／または移動手すりの速度に従って個々の光源を点灯するように設けられている、と記載されている。また、この公報にあっては、照明手段を欄干の近傍で内側デッキの頂部に設けられた照明プロファイルの内部に位置するものとして開示されているが、照明手段は内側デッキに沿ったどの位置に設けてもよい、と記載されている。
【０００３】
また、乗客等がステップとスカートガードとの間隙に挟まれるという危険性を回避するものとして、特許文献２がある。この公報には、内側デッキのスカートガード側折り曲げ端部をスカートガードとほぼ面一或いは内側となるようにデッキベースに固定し、スカートガード上端固定部とデッキベース固定部とを、ステップ側に突出するよう設けられたモールにより覆い、かつ、このモールを、このモール内に収納されるボルトによりデッキベースに固定した、と記載されている。
【先行技術文献】
【特許文献】
【０００４】
【特許文献１】特表２００９−５３７４２０号公報
【特許文献２】特開２００９−２２７３５２号公報
【発明の概要】
【発明が解決しようとする課題】
【０００５】
ところで、乗客コンベア装置にあっては、乗客等がステップとスカートガードとの間隙に挟まれることは重大事故に至る恐れが高く、この危険性を低減することは重要な課題である。しかしながら、前述した特許文献１は、照明手段を動的なものとし、乗客コンベアの全体または部分に特に注意を引くようにしたものであるが、ステップとスカートガードとの間隙に乗客の注意を喚起する点で特別な工夫がされたものではなかった。また、前述した特許文献２は、内側デッキに配置したモールによって乗客等がステップとスカートガードとの間隙に挟まれるという危険性を回避するものであるが、乗客の注意を喚起する点で課題があった。
【０００６】
本発明は、前述した従来技術における実状からなされたもので、その目的は、簡易な構造で、ステップとスカートガードとの間隙に挟まれる危険に対する乗客の意識を高めることのできる乗客コンベア装置を提供することにある。
【課題を解決するための手段】
【０００７】
前記目的を達成するために、本発明は、無端状に走行するステップの側方に立設され上端をデッキベースに固定されたスカートガードと、前記スカートガードの前記ステップの反対側の位置においてその上方に立設された欄干パネルと、前記欄干パネルと前記スカートガードとの間に設けられ、前記スカートガード側が前記デッキベースに固定された内側デッキと、前記スカートガード上端と前記内側デッキ下端との接合部に、前記ステップ側に突出するように配置されるモールとを備えた乗客コンベア装置において、前記モールに、前記ステップと前記スカートガードとの間隙を直接照射可能な照明部を設けたことを特徴としている。
【発明の効果】
【０００８】
本発明によれば、モールに設けた照明部によりステップとスカートガードとの間隙を直接照射することにより、ステップとスカートガードとの間隙に挟まれる危険に対する乗客の意識を高めることができる。また、スカートガード上端と内側デッキ下端との接合部を覆うモールに照明部を設けるという簡易な構造であることから、容易に採用できると共に、既にモールを備えた乗客コンベア装置にあっては、リニューアル時等に特別な加工等を要することなく照明装置付きのものすることができる。
【図面の簡単な説明】
【０００９】
【図１】乗客コンベア装置の概略構成図である。
【図２】本発明に係る乗客コンベア装置の一実施例を示し、図１のＡ−Ａ線に沿う縦断面図である。
【図３】ベビーカーの車輪との位置関係を示す図２相当図である。
【発明を実施するための形態】
【００１０】
本発明の実施例を、図面を参照しながら説明する。尚、各図において、同一又は類似の構成要素には同じ符号を付し、説明を省略する。
【００１１】
図１は、乗客コンベア装置の概略構成図である。乗客コンベア装置、例えばエスカレータは、図１に示すように、下階床と上階床とに架設される本体枠１と、この本体枠１に配置され、下階床に連なる下部乗降口２ａから上階床に連なる上部乗降口２ｂにかけて、無端状に走行するステップ３と、このステップ３と同期して移動するハンドレール４と、本体枠１の長手方向に沿ってステップ３の両側に立設され、ハンドレール４の走行路を形成する欄干５とを備えている。
【００１２】
図２は、本発明に係る乗客コンベア装置の一実施例を示し、図１のＡ−Ａ線に沿う縦断面図である。欄干５は、図２に示すように、ステップ３の側方に立設され上端をデッキベース６に固定されたスカートガード７と、このスカートガード７のステップ３の反対側の位置においてその上方に立設された図示しない欄干パネルと、この欄干パネルとスカートガード７との間に設けられ、このスカートガード７側がデッキベース６に固定された内側デッキ８と、ステップ３側に突出するように配置され、スカートガード７上端と内側デッキ８下端との接合部を覆うモール９とを備えている。
【００１３】
モール９には、ステップ３とスカートガード７との間隙Ｇを光１６で直接照射可能な照明部１０が設けられており、この照明部１０は、モール９に填装される光源体１１と、この光源体１１の下方に配置される導光体１２とを有している。また、モール９には、鉛直方向下方が解放された開口部９ａが形成され、この開口部９ａに、例えばＬＥＤから成る光源体１１が、取付範囲１５で示した下部乗降口２ａから上部乗降口２ｂにわたって取り付けられている。さらに、導光体１２は、ステップ３側からスカートガード７側に向かって先細りとなる傾斜部１３を備えている。
【００１４】
エスカレータの運転時、ＬＥＤから成る光源体１１が点灯し、光源体１１の発する光は導光体１２に導かれ、ステップ３とスカートガード７との間隙Ｇを直接照射する。これによって、エスカレータに乗り込んだ乗客は、ステップ３とスカートガード７との間隙Ｇに意識を向け、この間隙Ｇに挟まれることがないよう、自分の足元、衣服、及び持ち物等に注意を払う。また、導光体１２は、ステップ３側からスカートガード７側に向かって先細りとなる傾斜部１３を有していることから、図３に示すように、例えば乗客が用いているベビーカーの車輪１４が、スカートガード７方向に押し付けられても、導光体１２の傾斜部１３により阻まれ、ステップ３と導光体１２との間に車輪が挟まることを防ぐ。特に、ベビーカーの車輪１４の高さが、ステップ３と導光体１２との間の高さに近いか、それより若干小さい場合には、その挟まれ防止の効果が大きい。尚、図３は、ベビーカーの車輪との位置関係を示す図２相当図である。
【００１５】
本実施例によれば、モール９に設けた照明部１０によりステップ３とスカートガード７との間隙Ｇを直接照射することにより、ステップ３とスカートガード７との間隙Ｇに挟まれる危険に対する乗客の意識を高めることができる。また、スカートガード７上端と内側デッキ３下端との接合部を覆うモール９に照明部１０を設けるという簡易な構造であることから、容易に採用できると共に、既にモールを備えた乗客コンベア装置にあっては、リニューアル時等に特別な加工等を要することなく照明装置付きのものとすることができる。
【００１６】
なお、前述した実施例では、照明部１０は、光源体１１、及び導光体１２から構成されるものとしたが、本発明はこれに限られるものではなく、導光体１２を介することなく光源体１１の発する光で直接ステップ３とスカートガード７との間隙Ｇを直接照射するようにしても良い。
【００１７】
以上、本発明の実施例を説明してきたが、これまでの実施例で説明した構成はあくまで一例であり、本発明は、技術思想を逸脱しない範囲内で適宜変更が可能である。
【符号の説明】
【００１８】
６  デッキベース
７  スカートガード
８  内側デッキ
９  モール
１０  照明部
１１  光源体
１２  導光体
１３  傾斜部
１４  車輪
１５  取付範囲
１６  光
【図１】
2015113212.tif 000003
【図２】
2015113212.tif 000004
【図３】
2015113212.tif 000005